(57)【要約】【課題】    間仕切り壁の形を自在に変化させることができて、しかも、その設置や取り外し及び移動が簡単にできるため、自由な形の間仕切り壁を容易に新設できる他、リフォームや間仕切り替えが容易にできる。【解決手段】    パネル同士を隙間がなく３６０°回転させることができる蝶番を用いてパネルを連結させ、パネルの下部にコロを付け、上部にフックを付ける。間仕切り壁を固定する場合は、フックを天井の角パイプなどのフック受けに引掛けて、下部のコロはロックをする。【選択図】図１
2006077558.tif 000002
【特許請求の範囲】
【請求項１】
紙蝶番をみぞ形部材に接着した、紙蝶番を付着した蝶番。但し、紙蝶番は炭素繊維など、この場合に紙と同等以上の効果を発揮する素材でつくられたものを含む。
【請求項２】
請求項１の丁番を使用した製品。
【請求項３】
請求項１の丁番とパネルを連結し、パネルの下部にコロを付けた衝立て。
【請求項４】
請求項３の衝立ての上部にフックを付けた間仕切り壁。
【請求項５】
請求項３の衝立ての上部にフックを付けた衝立て兼用折り戸。
【発明の詳細な説明】
【技術分野】
【０００１】    本発明は、隣り合うパネル同士を隙間がなく３６０°回転させることができる蝶番及び、それを用いてパネルを連結することにより、形が自在になる衝立てと間仕切り壁、並びに衝立て兼用折り戸に関する。
【背景技術】
【０００２】    屏風に用いられる蝶番の伝統的手法として、パネル同士を隙間がなく３６０°回転させることができる、紙でつくられた紙蝶番がある（例えば、非特許文献１を参照）。【０００３】    また、パネルを３６０°回転させることができるという屏風の紙蝶番の機能を模した、金属製の屏風蝶番がある（例えば、非特許文献２を参照）。【０００４】    通常の間仕切り壁は木製や鋼製、あるいはコンクリート下地によってつくられる。木製や鋼製下地では下地を組んだ後に仕上げ材を張り、また、コンクリート下地の場合は型枠を組んでからコンクリートを流し、その後に仕上げの処置をする場合としない場合がある。【０００５】
【非特許文献１】増補改訂「表具の栞」山本元著  昭和５３年株式会社  芸ソウ堂出版  Ｐ１９３〜１９７
【非特許文献２】スガツネ工業  総合カタログ  家具金物１  ＮＯ．１３０Ｐ４９６  ステンレス屏風丁番ＢＨ型
【発明の開示】
【発明が解決しようとする課題】
【０００６】    従来の紙蝶番はパネルと一体にしながら手加工でつくり上げられ、屏風は紙蝶番を含めて緻密な手作業が多くなるためコスト的に高い。また、昔とは住宅様式が変わったことなどと合わせて、現在では屏風は日常的に使われることが少なくなり、高価な装飾品になっている。紙蝶番はパネル同士を隙間がなく３６０°回転させることができるため、本来、それを用いてパネルを数枚連結させると隙間がなく自在に形をつくることができる。しかし、少なくなっている、紙蝶番を用いた屏風を見掛けることはあっても、ジグザグ型に置いたものや、屏風に描かれた書画を鑑賞し易くするために平面として立て掛けてあるだけのことが多い。このような状況の中で現在、紙蝶番の優れた仕組みが実用的なものとして生かされていないという問題がある。【０００７】    従来の屏風の製法は精巧な伝統技術としてこれからも受け継いでいく必要があるが、一方で、紙蝶番の優れた仕組みを実用的なものとして生かすことは産業や文化の発展の上からも重要である。本発明では、紙蝶番の隙間がなく自在に形をつくることができという仕組みを、従来、屏風が用いられてきた衝立ての機能だけではなく、間仕切り壁や折り戸としても活用し、現代の建物に対応する実用的なものとして生かすことを課題にしている。【０００８】    従来の金属製の屏風蝶番は紙蝶番と同様にパネルが３６０°回転し、しかも、パネルにはビスで留めるだけなので、蝶番を量産化することができ、また、屏風式製品の組立てが簡単になるためそのコストは下がる。しかし、蝶番の軸が出っ張り、パネル同士に隙間ができるという紙蝶番にはない問題があり、紙蝶番に比べると美観として劣り、また、間仕切り壁として用いる場合には、隙間から内部が透けて見え易くなるという機能上の問題もある。本発明では、紙蝶番そのものを機械生産し、また、製品組立ての簡素化を行い屏風式製品のコストを下げることを課題にしている。【０００９】    通常の木製や鋼製あるいはコンクリート下地の間仕切り壁では、間仕切り壁を設置する際に現場施工が必要になり、また、間仕切り替えをする場合にはそれらを取り壊して新たに設置しなければならず、その分のコストや時間が掛かり、また、廃棄物や騒音が出るという問題がある。本発明では、間仕切り壁の設置や間仕切り替えを簡単に行なえるようにすることを課題にしている。【００１０】    従来の紙蝶番はパネルと一体になっているため、全ての紙蝶番とパネルの仕上げの紙がつながり、そのため、取り替える際にはそれら全てを取り替えなければならないという問題がある。本発明では部分的な取替えができることを課題にしている。【００１１】    従来の屏風は移動する際には持ち上げて移動させるため、大きいものは特にその分の力の負担が掛かる。本発明では、移動が楽にできることを課題にしている。【００１２】    従来の間仕切り壁では曲面をつくり出すには、通常の施工に比べて異なる部材や材料などが必要になる他、手間が掛かるためコストが高くなるという問題がある。本発明では、曲面の間仕切り壁も簡単につくり出せることを課題にしている。【００１３】    従来の折り戸は屏風と類似した形態ではあるが、折り戸としての使用しかできない。本発明では折り戸と衝立てを兼用できることを課題にしている。
【課題を解決するための手段】
【００１４】    上記課題の一つである、屏風式製品のコストを下げる手段として、本発明では、従来、パネルと一体に手加工でつくられてきた紙蝶番を、部品として独立させて機械生産を行い、それを更に金属などの、みぞ形部材に接着して、着脱可能な蝶番にする。【００１５】    また、上記課題の一つである、屏風式製品の移動を楽にするための手段として、本発明では、パネルの下部にコロを設ける。そして、コロはロックで定することもできる。【００１６】    また、上記課題の一つである、間仕切り壁の設置や間仕切り替えを簡単に行なえるようにする手段として、本発明では、パネルの上部にフックを設けて、天井に設けた角パイプなどのフック受けに引掛ける。その際、フックを固定ネジで固定し、下部のコロをロックしてパネルを固定することもできる。【００１７】    また、上記課題の一つである、折り戸と衝立てを兼用させる手段として、本発明では、パネルの上部に回転式フックを設ける。このフックは１８０°回転するとパネル内にフックが収まる。そのため、折り戸として使用する場合はフックを、天井に埋め込んだレール内のランナーに引掛けて使い、また、衝立てとして使用する場合はランナーから取り外して、フックをパネル内に収めて使う。
【発明の効果】
【００１８】  本発明は以上の手段により、以下に記載されるような効果を奏する。
紙蝶番を量産化できる他、蝶番が着脱式になるため屏風式製品の組立てが簡素化されてコストが下がる。そのため、屏風式製品が実用的なものになり易く、また、従来の屏風の製法では大きいためコストが高くなる、間仕切り壁や折り戸にもこの蝶番を使って、それらを屏風式製品にすることができる。【００１９】    本発明の蝶番により、従来の屏風に用いられた木製パネル以外にも、ガラスやダンボールなど様々なパネルを連結させることが容易になるため、現代の建物に対応した衝立てや間仕切り壁および折り戸として、選択肢が更に広がる。【００２０】    また、本発明の蝶番を用いてパネルを連結すると、パネル同士に隙間がなく、形を自在に変化させることができる。そのため、様々なニーズに対応させることができる。【００２１】    本発明の蝶番は着脱式になるため、紙蝶番の一部が傷んだ場合や紙蝶番のみ全体を替えたい場合あるいはパネルの仕上げ材のみを替えたい場合など、部分的な取り替えができ、また、パネルの増減が簡単にできる。そのため、廃棄物を抑えることができ、かつ、ニーズに合わせたリフォームや間仕切り替えがし易くなる。【００２２】    本発明の屏風式製品にコロを付けると移動や形を決める際に動かし易くなる。また、コロをロックすれば動きを止めることができる。【００２３】    従来の間仕切り壁では曲面の壁はコストが掛かったが、本考案の蝶番でパネルを連結すると間仕切り壁の形は自在になるため、曲面の壁も容易に設けることができる。【００２４】    本発明の間仕切り壁の設置の仕方は、間仕切り壁を好みの位置に置いた後、パネル上部のフックを天井に設けた最寄の角パイプなどのフック受けに引掛ける。この際、フックを可動式にすると位置の微調整ができる。その後フックを固定ネジで固定し、更に下部のコロをロックして間仕切り壁を固定することができる。端のパネルは固定しないでドアとして使うこともできる。このように間仕切り壁の設置を簡単に行なうことができるため、取り外しや移動も簡単にできる。【００２５】  従って、間仕切り壁の新設はパネル同士に隙間がなく、自在に形をつくることができ、しかも、容易に行なうことができる。【００２６】    しかし、本発明の蝶番は、間仕切り壁の新設時に効果をもたらすだけではなく、リフォームや間仕切り替えの際にも大きな効果をもたらす。間仕切り壁の形を自在に変えることができる上、パネルの増減も行なえるため、従来の間仕切り壁のようにリフォームや間仕切り替えの際の、既存の壁の取り壊しや新設ための現場施工が必要なく、それらを容易に行なうことができる。そのため、従来の間仕切り壁で新設からリフォームや間仕切り替えを行なうのに比べて、コストや時間、廃棄物、騒音などを抑えることができる。【００２７】    上記のように間仕切り壁の形が自在になり、また、新設やリフォームおよび間仕切り替えも容易に行なうことができるため、ライフスタイルや家族構成の変化あるいは一時的に必要なスペースの確保など、その時々のニーズに合わせて空間をフレキシブルに利用することができる。【００２８】    本発明の間仕切り壁を利用することにより、建物の内部をフレキシブルに利用できるため、建物の躯体が寿命の長いものであれば、建物の建設から取���壊しまでに発生するライフサイクルＣＯ２を抑えることができる。【００２９】    本発明の衝立て兼用折り戸を使用すると、集会場や大会議室などで、ある空間を一時的に間仕切りたい場合に折り戸として使い、使わないときは壁に収納できる他、レールから取り外して衝立てとして使うこともできる。
【発明を実施するための最良の形態】
【００３０】    発明を実施するための最良の形態を実施例に基づき図面を参照して説明する。
図１において、本発明の紙蝶番を付着した蝶番１を用いてパネル２を連結させた屏風式製品の変形の４つの基本的なパターンを示す。このようなパターンを基本にして形を自在に変化させることができ、更にこれらを組み合わせることにより様々な空間をつくり出すことができる。屏風式製品の変形とその組み合わせの例については別途、物件提出書の写真例を参照。【００３１】    図２においては、本発明の紙蝶番を付着した蝶番の構成を示す。紙蝶番はパネル同士に隙間をつくらずに一方のパネルを３６０°回転させることができる蝶番である。これを部品として機械生産し、紙蝶番のみぞの部分に金属製などのみぞ形部材の底面および外側の両側面を接着して、紙蝶番をみぞ形部材に付着した蝶番をつくる。この蝶番のみぞ部分にパネルを連結するとパネル同士に隙間をつくらずに一方のパネルを３６０°回転させることができる。紙蝶番は従来、紙でつくられてきたが、炭素繊維などこの場合に紙と同等以上の効果を発揮する素材でつくられたものを含む。【００３２】    図３においては、本発明の蝶番１とダンボールパネル５を連結した衝立ての実施例を示す。蝶番１の他に上枠３およびコロ付き下枠４も着脱式になり、取り外すことができる。【００３３】    図４においては、上記実施例の構成を示す。ダンボールパネル５はダンボールを４層に接着している。上下の枠はエンプラキャッチ６により着脱式になり、更に、下枠にはコロが取り付けてある４。蝶番１も着脱式であり、みぞの内側底面にフック７が付き、それをダンボールパネル５の見込み側にあるフック受け８に引掛けて取り付ける。【００３４】    図５においては、上記実施例の部分的な拡大図を示す。コロはロックによって動きを止める。【００３５】  図６においては、本発明の蝶番１とダンボールパネル５を連結した間仕切り壁の実施例を示す。間仕切り壁はパネルの上部に折り曲げ式可動フック１０が付くことを特徴とする。それを天井の角パイプ１２に引掛けて間仕切り壁を固定する。【００３６】    図７においては上記実施例の平面の一例を示す。間仕切り壁をどの位置に置いてもフックを掛けることができるように、天井の角パイプ１２を適宜に間隔をあけて設ける。間仕切り壁の端のパネルは固定しないでドアとして使うこともできる。【００３７】    図８においては上記実施例の構成を示す。上枠がレール付き１４になり、そこを可動式折り曲げフック１０が可動する他は、図４の衝立ての実施例と同様である。【００３８】    図９においては上記実施例の部分的な拡大図を示す。上枠にはレールが付き、そこを折り曲げ式可動フック１０が移動できる。間仕切り壁を動かす際は折り曲げ式可動フックが天井の角パイプ１２にぶつからないように、折り曲げて寝かせておく。間仕切り壁の位置が決まったら、最寄りの角パイプに最も引掛け易い位置に折り曲げ式可動フックを動かしてからフックを起こして、角パイプに引掛けて固定ネジ１４でフックを固定する。また、下部のコロもロック９してパネルを固定する。【００３９】    図１０においては、本発明の蝶番１とダンボールパネル５を連結した、衝立て兼用折り戸の実施例を示す。衝立て兼用折り戸はパネルの上部に折り曲げ式回転フック１５が付くことを特徴とする。そ���を天井に埋め込んだレール内のランナーに引掛けて折り戸として使い、使わないときは壁に収納できる他、ランナーから取り外して衝立てとしても兼用できる。【００４０】    図１１においては上記実施例の平面の一例を示す。使わないときは壁に収納する１８こともできる。【００４１】    図１２においては上記実施例の構成を示す。折り曲げ式回転フック１５は上部のパネル側に付き、上枠に開いた開口部からフックが突き出す。１８０°回転するとフックがパネル内に収まると共に上枠の開口部がふさがる。折り曲げ式回転フックとコロを各パネルの中心軸上に設けることにより、各蝶番に掛かる力の負担が均等化して蝶番の傷みを防ぐ。上下の枠と蝶番が着脱式であるのは先述の二つの実施例と同様である。【００４２】    図１３においては上記実施例の部分的な拡大を示す。パネル上部に設けられた折り曲げ式回転フック１５をレール内のランナー１７に引掛けて折り戸として使う。また、折り曲げ式回転フックはフックを折り曲げて１８０°回転させるとフックがパネル内に収まると共に、上枠に開いた開口部が枠と同一面でふさがるため、レールから取り外して衝立てとして使うことができる。
【図面の簡単な説明】
【図１】  屏風式製品の変形の４つの基本的なパターンを示す斜視図である。上から、ジグザグ型、Ｉ字型、Ｓ字型、Ｌ字型の組み合わせ、である。
【図２】  紙蝶番を付着した蝶番の構成を示す斜視図である。
【図３】  衝立ての実施例を示す立面図である。
【図４】  上記実施例の構成を示す斜視図である。
【図５】  上記実施例を部分的に拡大した立面図である。
【図６】  間仕切り壁の実施例を示す立面図である。
【図７】  上記実施例の平面の一例を示す平面図である。
【図８】  上記実施例の構成を示す斜視図である。
【図９】  上記実施例を部分的に拡大した立面図である。
【図１０】  衝立て兼用折り戸の実施例を示す立面図である。
【図１１】  上記実施例の平面の一例を示す平面図である。
【図１２】  上記実施例の構成を示す斜視図である。
【図１３】  上記実施例を部分的に拡大した立面図及び断面図である。
【符号の説明】
１  紙蝶番を付着した蝶番
２  パネル
３  上枠
４  コロ付き下枠
５  ダンボールパネル
６  エンプラキャッチ
７  フック
８  フック受け
９  ロック
１０  折り曲げ式可動フック
１１  天井
１２  角パイプ
１３  間仕切り壁
１４  固定ネジ
１５  折り曲げ式回転フック
１６  天井埋め込みレール
１７  衝立て兼用折り戸
１８  収納
【図１】
2006077558.tif 000003
【図２】
2006077558.tif 000004
【図３】
2006077558.tif 000005
【図４】
2006077558.tif 000006
【図５】
2006077558.tif 000007
【図６】
2006077558.tif 000008
【図７】
2006077558.tif 000009
【図８】
2006077558.tif 000010
【図９】
2006077558.tif 000011
【図１０】
2006077558.tif 000012
【図１１】
2006077558.tif 000013
【図１２】
2006077558.tif 000014
【図１３】
2006077558.tif 000015